(57)【特許請求の範囲】
【請求項１】
対向する第１基板及び第２基板と、
前記第１基板と前記第２基板との間に挟持された表示層と、
前記第２基板における前記表示層と反対側の面を覆うカバー層と、を備え、
前記第１基板上に配置された表示層の一面が表示面とされ、前記表示面を取り囲む封止領域に配置された防湿樹脂によって、前記第１基板と前記カバー層とが接合された電気光学表示装置であって、
少なくとも前記カバー層の前記防湿樹脂と接触する面に溝が設けられ、前記防湿樹脂が前記溝に充填されており、
前記カバー層が、複数の防湿基材と、前記防湿基材の間であって少なくとも最上部側の防湿基材に接して配置された無機材料層とが積層されてなり、
前記溝が、前記封止領域内の前記カバー層の表示層側の面において、前記無機材料層を露出しない深さに形成されており、
前記溝が複数本形成され、平面視で前記表示面を囲むように形成された溝と、平面視で前記表示面の角部においてＬ字状に形成された溝と、を含むことを特徴とする電気光学表示装置。
【請求項２】
対向する第１基板及び第２基板と、
前記第１基板と前記第２基板との間に挟持された表示層と、
前記第２基板における前記表示層と反対側の面を覆うカバー層と、を備え、
前記第１基板上に配置された表示層の一面が表示面とされ、前記表示面を取り囲む封止領域に配置された防湿樹脂によって、前記第１基板と前記カバー層とが接合された電気光学表示装置であって、
少なくとも前記カバー層の前記防湿樹脂と接触する面に溝が設けられ、前記防湿樹脂が前記溝に充填されており、
前記カバー層が、複数の防湿基材と、前記防湿基材の間であって少なくとも最上部側の防湿基材に接して配置された無機材料層とが積層されてなり、
前記溝が、前記封止領域内の前記カバー層の側端部において、前記無機材料層よりも前記表示層側に積層された複数の前記防湿基材の段差によって形成されていることを特徴とする電気光学表示装置。
【請求項３】
前記溝が、前記表示面の角部を囲むように設けられていることを特徴とする請求項２に記載の電気光学表示装置。
【請求項４】
前記溝が複数形成されてなることを特徴とする請求項２に記載の電気光学表示装置。
【請求項５】
前記防湿樹脂が、前記カバー層の端部をすべて覆うことを特徴とする請求項２に記載の電気光学表示装置。
【請求項６】
前記溝が、前記封止領域内の前記第１基板の表示層側の面に設けられており、前記溝の深さが前記第１基板の厚さの１／２以下とされていることを特徴とする請求項１〜５のいずれか１項に記載の電気光学表示装置。
【請求項７】
前記カバー層の表示層と反対側の面に、表面保護シートが接合されていることを特徴とする請求項１〜６のいずれか１項に記載の電気光学表示装置。
【請求項８】
請求項１〜７のいずれか１項に記載の電気光学表示装置の表示層が電気泳動層であることを特徴とする電気泳動表示装置。
【請求項９】
請求項１〜７のいずれか１項に記載の電気光学表示装置または請求項８に記載の電気泳動表示装置を備えたことを特徴とする電子機器。
【発明の詳細な説明】
【技術分野】
【０００１】
本発明は、電気光学表示装置、電気泳動表示装置および電子機器に関するものである。
【背景技術】
【０００２】
液晶表示デバイスに代表される平面表示の電気光学表示装置は、薄型、軽量、低消費電力などの特長を生かして、ＯＡ機器、情報端末、時計、テレビなどの多くの電子機器に利用されている。
このような特長を有する電気光学表示装置として、近年、電気泳動表示装置（Ｅｌｅｃｔｒｏｐｈｏｒｅｔｉｃ  Ｄｉｓｐｌａｙ：ＥＰＤ）の技術発展が著しい。電気泳動表示装置において、特にフィルム状の表示装置は、紙媒体と同様な文字視認性とフレキシビリティとを有するので、電子ペーパーとして知られている。
【０００３】
電気泳動表示装置の代表的なものとして、マイクロカプセル型電気泳動表示装置（マイクロカプセル型ＥＰＤ）がある。
マイクロカプセル型電気泳動表示装置は、荷電粒子が分散した溶媒をマイクロカプセルに封入し、マイクロカプセルを挟持するように形成された電極間に電圧を印加して電界を発生させることにより、荷電粒子の分布を変化させてコントラストを得る表示装置である。
【０００４】
電気泳動表示装置は、電圧印加を止めてもマイクロカプセルの一方側に引きつけられた荷電粒子が静電気力や分子間力によって電極付近に留まることから、電力を消費せずに、表示画像を保持し続けられるという特長を有する。
【０００５】
さらに、電気泳動表示装置は、液晶ディスプレイのようにバックライトからの透過光を利用するデバイスや有機ＥＬディスプレイのような発光デバイスではなく、荷電粒子や溶媒そのものの色（反射光）を観察するディスプレイであるため、視野角依存性がなく、紙のように目に優しく長時間の凝視にも耐えられるという特長を有する。特に、荷電粒子からの反射光を観察する反射型表示体であるという特性は、太陽光の下での使用する場合には有利となる。
【０００６】
さらにまた、フィルム状の電気泳動表示装置は、フレキシビリティという優れた特長を有する。すなわち、マイクロカプセルを挟む２枚の基板として樹脂等のフィルムを使うことにより、可撓性を有する電気泳動表示装置を容易に実現することが可能となる。
【０００７】
しかし、マイクロカプセルを挟む２枚の基板として、ガラス基板ではなくフィルムを使用した場合、水分の侵入による電気泳動表示装置の劣化が問題となる。
ガラス基板であれば水分の侵入を抑制する効果を十分高くすることができるが、フィルムの場合には当該効果を高く維持することが困難となる。フィルムを使用して構成された電気泳動表示装置を、高温度、高湿度下に長期間晒したような場合には、水分の侵入により劣化が生じ、表示品質が著しく低下する。
特に、使用環境として屋外を想定した場合には、温湿度環境変化による劣化が懸念され、十分な防湿性の対策が必要となる。
【０００８】
特許文献１及び特許文献２には、防湿性を向上させるため、表示面側の基板に透明樹脂保護膜を積層するとともに、表示面の周辺端面部においては、透明樹脂保護膜と非表示面側の基板との隙間に水蒸気遮断性樹脂層を設けることにより、水分の侵入を遮断する構造の電気泳動表示装置が開示されている。
【０００９】
しかしながら、上記従来技術によっても、たとえば、６０℃程度の高温・９０％程度の高湿度の環境下においては、周辺端面部や背面からの水分が侵入し、電気泳動材料が変質して、表示特性や保持特性を劣化させてしまう。
【００１０】
特許文献３には、耐湿性をより向上させた電気泳動装置が開示されている。この電気泳動装置は、電気泳動層への水分の浸入を防ぐために、電気泳動層の上下に防湿フィルムを配して、さらには、周囲に防湿樹脂を配する構造である。
【００１１】
しかしながら、この構造で十分な防湿性を確保するためには、防湿材料には材料そのものの十分な防湿性に加えて、上下の防湿フィルムの強力な密着性も要求される。
仮に、防湿フィルムと防湿樹脂との密着性が不十分であると、界面を拡散経路として水分が電気泳動層に浸入して電気泳動装置の表示状態が悪化するといった不具合が生じる可能性があり、封止幅を広げる等の対策が必要となる。ただし、封止幅の拡大は周辺の非表示エリアを拡大することとなり、電子ペーパーの商品性を著しく損なうという問題を発生させてしまう。
【特許文献１】特開２００５−１１４８２０号公報
【特許文献２】特開２００５−１１４８２２号公報
【特許文献３】特開２００７−７２１２７号公報
【発明の開示】
【発明が解決しようとする課題】
【００１２】
本発明は、上記事情を鑑みてなされたもので、十分な防湿性を備える電気光学表示装置、電気泳動表示装置および電子機器を提供することを目的とする。
【課題を解決するための手段】
【００１３】
上記の目的を達成するために、本発明は以下の構成を採用した。すなわち、
本発明の電気光学表示装置は、対向する第１基板及び第２基板と、前記第１基板と前記第２基板との間に挟持された表示層と、前記第２基板における前記表示層と反対側の面を覆うカバー層と、を備え、前記第１基板上に配置された表示層の一面が表示面とされ、前記表示面を取り囲む封止領域に配置された防湿樹脂によって、前記第１基板と前記カバー層とが接合された電気光学表示装置であって、前記第１基板および／または前記カバー層の前記防湿樹脂と接触する面に溝が設けられ、前記防湿樹脂が前記溝に充填されていることを特徴とする。
本発明の電気光学表示装置は、第１基板および／またはカバー層の防湿樹脂と接触する面に溝が設けられ、防湿樹脂が前記溝に充填されている構成なので、第１基板および／またはカバー層の防湿樹脂と接触する面上の外部と内部を結ぶ最短距離（界面距離）を拡張することができ、これらの界面距離を介して電気泳動表示装置の外部から電気泳動層（表示層）へ侵入する水分を低減することができる。また、封止領域の封止幅はそのままとされるので、大きな表示領域を維持することができ、電気泳動表示装置の表示性能を維持することができる。
【００１４】
本発明の電気光学表示装置は、前記溝が、前記封止領域内の前記第１基板の表示層側の面に設けられており、前記溝の深さが前記第１基板の厚さの１／２以下とされていることを特徴とする。
本発明の電気光学表示装置は、封止領域内の第１基板の表示層側の面に設けられた溝の深さが第１基板の厚さの１／２以下とされている構成なので、防湿性を向上させ、表示性能を維持させるとともに、第１基板の機械的強度を維持させることができる。
【００１５】
本発明の電気光学表示装置は、前記溝が、前記封止領域内の前記カバー層の表示層側の面に設けられていることを特徴とする。
本発明の電気光学表示装置は、前記溝が、前記封止領域内の前記カバー層の表示層側の面に設けられている構成なので、カバー層の防湿樹脂と界面距離を拡張することができ、これらの界面距離を介して電気泳動表示装置の外部から電気泳動層（表示層）へ侵入する水分を低減することができる。また、封止領域の封止幅はそのままとされるので、大きな表示領域を維持することができ、電気泳動表示装置の表示性能を維持することができる。
【００１６】
本発明の電気光学表示装置は、前記カバー層が、複数の防湿基材と、前記防湿基材の間であって少なくとも最上部側の防湿基材に接して配置された無機材料層とが積層されてなり、前記溝が、前記無機材料層を貫通しない深さに形成されていることを特徴とする。
本発明の電気光学表示装置は、前記カバー層が、複数の防湿基材と、前記防湿基材の間であって少なくとも最上部側の防湿基材に接して配置された無機材料層とが積層されてなり、前記溝が、前記無機材料層を貫通しない深さに形成されている構成なので、溝を形成することにより無機材料層が露出されることは無く、防湿効果を維持することができる。
【００１７】
本発明の電気光学表示装置は、前記溝が、前記封止領域内の前記カバー層の側端部に設けられていることを特徴とする。
本発明の電気光学表示装置は、前記溝が、前記封止領域内の前記カバー層の側端部に設けられている構成なので、カバー層の防湿樹脂と界面距離を拡張することができ、これらの界面距離を介して電気泳動表示装置の外部から電気泳動層（表示層）へ侵入する水分を低減することができる。また、封止領域の封止幅はそのままとされるので、大きな表示領域を維持することができ、電気泳動表示装置の表示性能を維持することができる。
【００１８】
本発明の電気光学表示装置は、前記カバー層が、複数の防湿基材と、前記防湿基材の間であって少なくとも最上部側の防湿基材に接して配置された無機材料層とが積層されてなり、前記溝が、前記無機材料層よりも前記表示層寄りに配置されていることを特徴とする。
本発明の電気光学表示装置は、前記カバー層が、複数の防湿基材と、前記防湿基材の間であって少なくとも最上部側の防湿基材に接して配置された無機材料層とが積層されてなり、前記溝が、前記無機材料層よりも前記表示層寄りに配置されている構成なので、カバー層の防湿樹脂と接触する面を拡張することができ、これらの接触する面を介して、電気泳動表示装置の外部から電気泳動層（表示層）へ侵入する水分を低減することができる。また、封止領域の封止幅はそのままとされるので、大きな表示領域を維持することができ、電気泳動表示装置の表示性能を維持することができる。
【００１９】
本発明の電気光学表示装置は、前記溝が、前記表示領域の角部を囲むように設けられていることを特徴とする。
本発明の電気光学表示装置は、溝が表示領域の角部を囲むように設けられている構成なので、２つの側面から浸入する角部での防湿性を向上させることができる。特に、角部において、溝の本数を増やして、このような角部専用の溝を形成することによって、角部での防湿性を向上させることができる。
【００２０】
本発明の電気光学表示装置は、前記溝が複数形成されてなることを特徴とする。
本発明の電気光学表示装置は、溝が複数形成される構成なので、接触する面をより拡張することができ、防湿性をより向上させることができる。
【００２１】
本発明の電気光学表示装置は、前記カバー層の表示層と反対側の面に、表面保護シートが接合されていることを特徴とする。
本発明の電気光学表示装置は、カバー層に表面保護シートが接合される構成なので、カバー層を外部からの機械的衝撃から保護することができ、何らかの衝撃によりカバー層を傷つけられて無機材料層を露出させることがなく、防湿性を維持することができる。
【００２２】
本発明の電気泳動表示装置は、先に記載の電気光学表示装置の表示層が電気泳動層であることを特徴とする。
本発明の電気泳動表示装置は、先に記載の電気光学表示装置の表示層が電気泳動層である構成なので、表示性能は維持したまま、防湿性を向上させた電気泳動表示装置とすることができる。
【００２３】
本発明の電子機器は、先に記載の電気光学表示装置または先に記載の電気泳動表示装置を備えたことを特徴とする。
本発明の電子機器は、先に記載の電気光学表示装置または先に記載の電気泳動表示装置を備える構成なので、表示性能は維持したまま、防湿性を向上させた電子機器とすることができる。
【００２４】
上記の構成によれば、十分な防湿性を備える電気光学表示装置、電気泳動表示装置および電子機器を提供できる。
【発明を実施するための最良の形態】
【００２５】
以下、本発明を実施するための形態を説明する。
＜実施形態１＞
本発明の実施形態である電気光学表示装置１５０の一例として、電気泳動表示装置１００を用いて説明する。
図１および図２は、本発明の実施形態である電気泳動表示装置１００の一例を示す図であって、図１は平面図であり、図２は図１のＡ−Ａ’線における断面図である。
図１に示すように、本発明の実施形態である電気泳動表示装置１００は、第１基板１の一面１ａに、電気泳動層（表示層）１５が配置された略矩形状の表示面（表示領域）３０と、表示面（表示領域）３０を囲む封止領域３２と、が備えられて概略構成されている。封止領域の封止幅はＷとされている。
また、封止領域３２には、表示面（表示領域）３０を取り囲むように、第１基板１の一面１ａに複数の溝１ｃが形成されている。
【００２６】
図２に示すように、本発明の実施形態である電気泳動表示装置１００は、第１基板１の一面１ａ上に薄膜回路層４２が形成され、その上に電気泳動層（表示層）１５が形成され、電気泳動層（表示層）１５を挟むように、かつ、透明電極層４１が電気泳動層（表示層）１５となるように第２基板２が配置され、第２基板２の表示層と反対側の面２ａにカバー層１７が配置されて構成されている。カバー層１７は、無機材料層５を挟んだ２枚の防湿基材３、４からなる透明な防湿シート６で構成されている。また、封止領域３２に配置された防湿樹脂２０により、第１基板１とカバー層１７とが接合されている。なお、観察者は正面方向ｆから表示層１５を観測できる構成とされている。
【００２７】
＜第１基板＞
第１基板１は、たとえば、ガラス基板、石英基板等の絶縁材料からなる基板であり、この上に形成される薄膜回路層４２、電気泳動層５及び画素電極（図示略）を支持する機能を有するものである。また、第１基板１は、ＰＥＴなどの樹脂基板でも良い。
第１基板１の厚みは、材料、用途等により適宜設定され、特に限定されないが、表示体モジュールの回路基板としては、２０〜５００μｍ程度が好ましく、２５〜２００μｍ程度がより好ましい。これにより、電気泳動装置としての強度の調和を図りつつ、電気泳動装置の小型化、特に薄型化を図ることができる。
【００２８】
＜薄膜回路層＞
この第１基板１上に、例えば、ＵＶ（紫外線）硬化型接着剤からなる接着層を介して、薄膜素子転写技術などを使用して、薄膜回路層４２が貼りつけられている。
薄膜回路層４２は、電気泳動層（表示層）１５を駆動するための薄膜トランジスタ（ＴＦＴ）等の薄膜デバイス、薄膜配線層、及び電気泳動層（表示層）１５に電圧を印加するための一方の画素電極等からなるものである。
薄膜デバイスの材料としては、例えば、有機半導体材料が挙げられる。また、薄膜配線層や画素電極の材料としては、例えば、アルミニウム、ニッケル、コバルト、白金、金、銀、銅、モリブデン、チタン、タンタル等の金属、または、これらを含む合金等が挙げられ、これらのうちの１種または２種以上を組み合わせて用いることができる。
薄膜回路層４２の厚みは、材料、用途等により適宜設定され、特に限定されないが、表示体モジュールの薄膜回路層としては、０．０５〜１０μｍ程度が好ましく、０．０５〜５μｍ程度がより好ましい。
【００２９】
＜電気泳動層＞
図２に示すように、電気泳動層（表示層）１５は、第１基板１と第２基板２との間に設けられている。電気泳動層（表示層）１５は、多数のマイクロカプセル１１を配列させるバインダとしての樹脂層１９によって形成されている。電気泳動層（表示層）１５の厚みは、特に限定されないが、表示体モジュールの電気泳動層としては、１０〜１５０μｍ程度が好ましく、３０〜１００μｍ程度がより好ましい。
マイクロカプセル１１内には、複数の白色の電気泳動粒子１２と複数の黒色の電気泳動粒子１３が、液相分散媒１４中に分散（懸濁）されている。
【００３０】
＜マイクロカプセル＞
マイクロカプセル１１の材料としては、例えば、ゼラチン、ポリウレタン樹脂、ポリユリア樹脂、尿素樹脂、メラミン樹脂、アクリル樹脂、ポリエステル樹脂、ポリアミド樹脂等の各種樹脂が挙げられ、これらのうちの１種または２種以上を組み合わせて用いることができる。
マイクロカプセル１１を作製するには、例えば、界面重合法、ｉｎ−ｓｉｔｕ重合法、相分離法、界面沈殿法、スプレードライ法等の各種マイクロカプセル化法を用いることができる。
マイクロカプセル１１は、その大きさ（平均粒径）がほぼ均一であることが好ましい。これにより、電気泳動装置は、より優れた表示機能を発揮することができる。このマイクロカプセル１１の大きさ（平均粒径）の均一化は、例えば、濾過、篩い分け、比重差分級等を用いて行うことができる。マイクロカプセル１１の大きさ（平均粒径）は、特に限定されないが、表示体モジュールのマイクロカプセル１１としては、１０〜１５０μｍ程度が好ましく、３０〜１００μｍ程度がより好ましい。
【００３１】
＜液相分散媒＞
液相分散媒１４としては、比較的高い絶縁性を有する有機溶媒を用いることができる。この有機溶媒としては、例えば、トルエン、キシレン、アルキルベンゼンなどの芳香族炭化水素、ぺンタン、ヘキサン、オクタン等の脂肪族炭化水素、シクロへキサン、メチルシクロへキサン等の環式炭化水素、塩化メチレン、クロロホルム、四塩化炭素、１，２−ジクロロエタン等のハロゲン化炭化水素、シリコン系オイル、フッ素系オイル、オリーブ油等の種々の鉱物油または植物油、高級脂肪酸エステル等が挙げられ、これらを単独あるいは混合して用いることができる。
【００３２】
液相分散媒１４には、必要に応じて、電解質、界面活性剤、金属石鹸、樹脂、ゴム、油、ワニス等の荷電制御剤、チタン系カップリング剤、アルミニウム系カップリング剤、シラン系カップリング剤等の分散剤、潤滑剤、安定化剤等の各種添加剤を添加してもよい。さらに、必要に応じて、アントラキノン系やアゾ系等の染料を添加してもよい。
【００３３】
＜電気泳動粒子＞
電気泳動粒子１２、１３としては、有機または無機の顔料粒子、または、これらを含む複合体を用いることができる。
この顔料としては、例えば、アニリンブラック、カーボンブラック等の黒色顔料、二酸化チタン、亜鉛華、三酸化アンチモン等の白色顔料、モノアゾ、ジイスアゾン、ポリアゾ等のアゾ系顔料、イソインドリノン、黄鉛、黄色酸化鉄、カドミウムイエロー、チタンイエロー、アンチモン等の黄色顔料、キナクリドンレッド、クロムバーミリオン等の赤色顔料、フタロシアニンブルー、インダスレンブルー、アントラキノン系染料、紺青、群青、コバルトブルー等の青色顔料、フタロシアニングリーン等の緑色顔料等が挙げられる。
さらに、これらの顔料には、必要に応じて電解質や界面活性剤、金属石鹸、樹脂、ゴム、油、ワニス、コンパウンド等の粒子からなる荷電制御剤、或いはチタンカップリング剤等の分散剤、潤滑剤、安定化剤等を添加することができる。
【００３４】
電気泳動粒子１２、１３は、それぞれ、色相や電気泳動度等の物性が異なる２種の電気泳動粒子であり、液相分散媒１４中で電位差による電気泳動を行って所望の電極側に移動する。
そのため、薄膜回路層４２と透明電極層３２との間に電圧を印加することにより、マイクロカプセル１１に電界が印加され、電界の向きに対応して、電気泳動粒子１２、１３がそれぞれ反対の方向に電気泳動を行って、マイクロカプセル１１の両端側に集められる。表示面側に白色の電気泳動粒子１２が集められたときは、マイクロカプセル１１は、白色の画素として表示される。逆に、表示面側に黒色の電気泳動粒子１３が集められたときは、マイクロカプセル１１は、黒色の画素として表示される。
【００３５】
＜樹脂層＞
樹脂層１９としては、マイクロカプセル１１との親和性および密着性に優れ、かつ、絶縁性を有するものであれば、特に限定されるものではなく、例えば、ポリエチレン、塩素化ポリエチレン、エチレン−酢酸ビニル共重合体、エチレン−アクリル酸エチル共重合体、ポリプロピレン、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂等の熱可塑性樹脂、ポリアミド系樹脂等が挙げられる。
【００３６】
また、ポリアセタール、ポリカーボネート、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフィニレンエーテル、ポリエーテルエーテルケトン、ポリエーテルイミド等の高分子、ポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴム等のフッ素系樹脂、シリコーン樹脂、シリコーンゴム等の珪素樹脂、その他として、メタクリル酸−スチレン共重合体、ポリブチレン、メタクリル酸メチル−ブタジエン−スチレン共重合体等も挙げられる。これらの樹脂は、１種または２種以上を組み合わせて用いることができる。
【００３７】
樹脂層１９の誘電率と液相分散媒１４の誘電率とは、ほぼ等しいことが好ましい。このため、樹脂層１９中に、例えば、１，２−ブタンジオール、１，４−ブタンジオール等のアルコール類、ケトン類、カルボン酸塩等の誘電率調節剤を添加することが好ましい。
【００３８】
＜電気泳動層の形成方法＞
電気泳動層（表示層）１５は、樹脂層１９中に、マイクロカプセル１１、必要に応じて上記誘電率調節剤を混合し、得られた樹脂組成物（エマルジョンあるいは有機溶媒溶液）を、第１基板１の薄膜回路層４２上に、例えば、ロールコーター法、ロールラミネータ法、スクリーン印刷法、スプレー法、インクジェット法等の各種塗布法を用いて塗布して塗膜を形成し、この塗膜上に第２基板２の透明電極層４１を載置し加圧することにより得ることができる。
また、これとは逆に、上記の樹脂組成物を、第２基板２の透明電極層４１上に塗布して塗膜を形成し、この塗膜上に第１基板１の薄膜回路層４２を載置し加圧することにより得ることもできる。なお、樹脂層１９は、必要に応じて省略することもできる。
【００３９】
＜第２基板＞
第２基板２は、一方面側に透明電極層４１が形成された薄膜フィルム（透明な絶縁性合成樹脂基材）からなり、透明電極層４１が形成された面が電気泳動層（表示層）１５側となるように、電気泳動層（表示層）１５上を覆うように形成されている。
【００４０】
第２基板２は、可撓性を有しかつ可視光線に対して透過性を有する基板であり、実質的に透明（無色透明、着色透明または半透明）なものも含まれる。ここで、実質的に透明とは、電気泳動層５により表示される情報を目視により容易に認識することができる程度に透明であるということである。第２基板２は、後述する透明電極３を支持し保護する保護層としての機能も有する。
第２基板２の厚みは、材料、用途等により適宜設定され、特に限定されないが、表示体モジュールの透明基板としては、２０〜２００μｍ程度が好ましく、２５〜１００μｍ程度がより好ましい。
【００４１】
第２基板２としては、可撓性を有する樹脂フィルム、樹脂シート、あるいは樹脂板が好ましく、その材料としては、例えば、トリアセチルセルロース（ＴＡＣ）等のセルロース系樹脂、ポリエチレンテレフタレート（ＰＥＴ）、ポリエチレンナフタレート（ＰＥＮ）等のポリエステル樹脂、ポリエチレン（ＰＥ）樹脂、ポリスチレン（ＰＳ）樹脂、ポリ塩化ビニル樹脂、ポリカーボネート（ＰＣ）、ポリエーテルサルフォン（ＰＥＳ）、ポリエーテルエーテルケトン（ＰＥＥＫ）、ポリフェニレンサルファイド（ＰＰＳ）等の各種樹脂が挙げられ、これらのうちの１種または２種以上を組み合わせて用いることができる。
【００４２】
＜透明電極層＞
透明電極層４１は、例えば、錫がドープされた酸化インジウム膜（ＩＴＯ膜）などの透明導電膜を用いて構成されている。透明電極層４１は、第２基板２の一方面のほぼ全体に渡って形成されている。
透明電極層４１は、膜状（層状）のもので、電気泳動層（表示層）１５に電圧を印加する際の一方の電極として機能するものである。透明電極層４１としては、例えば、スズ添加酸化インジウム（ＩＴＯ）、フッ素添加酸化スズ（ＦＴＯ）、酸化インジウム（Ｉｎ２Ｏ３）、酸化スズ（ＳｎＯ２）等の導電性金属酸化物の他、ポリアセチレン等の導電性樹脂、導電性金属微粒子を含有する導電性樹脂等が挙げられ、これらのうちの１種または２種以上を組み合わせて用いることができる。
透明電極層４１の厚みは、材料、用途等により適宜設定され、特に限定されないが、表示体モジュールの透明電極としては、０．０５〜１０μｍ程度が好ましく、０．０５〜５μｍ程度がより好ましい。
【００４３】
薄膜フィルム上に透明電極を形成する方法としては、特に制限がなく、例えば、スパッタ法、電子ビーム法、イオンプレーティング法、真空蒸着法又は化学的気相成長法（ＣＶＤ法）等を挙げることができる。
【００４４】
第１基板１の回路配線と第２基板２の透明電極層４１とは、電気泳動層（表示層）１５の形成領域の外側において電気的に接続されている。具体的には、透明電極層４１と薄膜回路層４２の接続電極（端子）とが導電性接続体を介して接続される（図示略）。
【００４５】
なお、電気泳動シートを、電気泳動層（表示層）１５、透明電極層４１および第２基板２の代わりに用いてもよい。一般に使用されている電気泳動シートは、ＰＥＴ上に、透明電極、電気泳動層（表示層）１５、接着剤がこの順序で積層されたシートであって、接着剤でＴＦＴガラス基板に貼り付けるだけで電気泳動表示装置を形成することができるものである。
【００４６】
＜カバー層＞
カバー層１７は、第２基板２の表示層と反対側の面２ａに配置され、複数の防湿基材３、４と、防湿基材３、４の間であって少なくとも最上部側の防湿基材４に接して配置された無機材料層５とが積層されてなる透明な防湿シート６から構成されている。
このような、カバー層１７を設けることにより、電気泳動層（表示層）１５の防湿効果を高めることができるとともに、第２基板２を保護することができる。
【００４７】
＜防湿シート＞
防湿シート６は、透明な防湿シートであれば特に限定されない。防湿基材３、４は、例えば、ポリエチレンテレフタレート（ＰＥＴ）フィルムなどの材料を用いることができ、それぞれ同一の材料を用いても、異なる材料を用いてもよい。また、それぞれの膜厚も、同一であっても異なっていても良い。
防湿シート６として、具体的には、防湿、透明性に優れたフッ素樹脂や、ＰＣＴＦＥ（ポリクロロトリフルオロエチレン（Ｐｏｌｙ  Ｃｈｌｏｒｏ  Ｔｒｉ  Ｆｕｒｕｏｒｏ  Ｅｔｈｙｌｅｎｅ）、三フッ化エチレン樹脂）などを用いることができる。
なお、表示層側に配置する防湿基材３の膜厚を厚くすることが好ましい。このようにすることにより、後述する溝を防湿基材３に形成する場合に、その深さを深くすることができる。
また、無機材料層５は、水分を吸着する無機材料であれば特に限定されない。たとえば、シリカ、アルミナ等の無機微粒子を挙げることができる。
【００４８】
＜防湿樹脂＞
防湿樹脂２０は、第１基板１の外縁を囲むように設けられた封止領域３２に、かつ、カバー層１７と第１基板１の間に設けられており、第１基板１とカバー層１７とを接合するとともに、電気泳動層（表示層）１５への水分の浸入を妨げて、電気泳動層（表示層）１５の防湿性を維持している。
本実施形態の電気泳動装置１では、カバー層１７および第１基板１の端面と防湿樹脂２０の端面とが面一に形成されている。
防湿樹脂２０としては、エポキシ樹脂、シリコン樹脂、アクリル樹脂などが好適に用いられる。更に、これらの樹脂中にシリカ、アルミナ等の無機微粒子を分散させたものも好適に用いられる。
【００４９】
水分が、電気泳動表示装置１００の外部から内部へ浸入するとき、防湿樹脂２０の防湿性が十分である場合には、防湿樹脂２０と第１基板１とが接触する面、または、防湿樹脂２０とカバー層１７とが接触する面が水分の拡散経路となる。そのため、内部へ水分を浸入させないためには、水分の拡散経路であるこれらの接触する面の外部と内部とを結ぶ距離（界面距離）を長くすることが効果的となる。このようにすることにより、外部の水分が内部へ浸入するために通過しなければならない距離（界面距離）が長くなり、内部の防湿性が保たれる。
しかし、封止領域３２の封止幅を単純に広げることは、これらの界面距離を長くして防湿効果を高めることとなるが、これは表示領域３０を小さくすることとなるので好ましくない。
【００５０】
＜溝＞
図２に示すように、第１基板１の表示層側の面１ａおよびカバー層１７の表示層側の面１７ｂにそれぞれ、表示領域３０を囲むように複数の溝１ｃが設けられている。
溝１ｃを設けることにより、封止領域３２の封止幅Ｗはそのままにして、防湿樹脂２０と第１基板１との界面距離および防湿樹脂２０とカバー層１７との界面距離を拡張することができる。
このようにすることによって、これらの接触する面を介して電気泳動表示装置１００の外部から内部の電気泳動層（表示層）１５へ侵入する水分を低減することができる。
また、溝１ｃを設けても、封止領域３２の封止幅Ｗはそのままとされるので、大きな表示領域３０を維持することができ、電気泳動表示装置の表示性能を維持することができる。
【００５１】
複数の溝１ｃを設けることが好ましい。複数の溝１ｃを設けることにより、界面距離をより長くすることができ、防湿性をより向上させることができる。
溝１ｃは、第１基板１またはカバー層１７のいずれか一方の表示層側の面に設けられていてもよい。溝１ｃが、いずれか一方の表示層側の面に設けられた場合でも、界面距離を長くすることができ、防湿性を向上させることができる。
【００５２】
第１基板１の表示層側の面１ａに設けられた溝１ｃは、その深さｄ１が第１基板１の厚さＬの１／２以下とされている。
このように、第１基板１の表示層側の面１ａに設けられた溝１ｃの深さｄ１は、第１基板１の厚さＬの１／２以下であることが好ましい。
溝１ｃの深さｄ１を、第１基板１の厚さＬの１／２より深くした場合には、第１基板１の機械的強度が弱まり、第１基板１の破壊が生じるおそれが発生する。溝１ｃの深さｄ１を第１基板１の厚さＬの１／２以下とした場合には、そのようなおそれは発生しない。
【００５３】
防湿基材３の表示層側の面１７ｂに設けられた溝１ｃは、その深さｄ３が防湿基材３の厚さＴより浅くされ、無機材料層５を貫通しない深さとされている。
このように、防湿基材３の表示層側の面１７ｂに設けられた溝１ｃの深さｄ３が、防湿基材３の厚さＴより浅くされていることが好ましい。
溝１ｃの深さｄ３が、防湿基材３の厚さＴより深くされた場合には、無機材料層５が露出され、界面から浸入した水分が容易に無機材料層５へ侵入して、無機材料層５の防湿効果を低減させる。溝１ｃの深さｄ３が防湿基材３の厚さＴより浅くされた場合には、無機材料層５を露出させることはなく、防湿効果を維持することができる。
【００５４】
＜実施形態２＞
図３は、本発明の実施形態である電気泳動表示装置の別の一例を示す断面図である。
本発明の実施形態である電気泳動表示装置１０１は、溝１ｃがカバー層１７の側面に形成されたほかは実施形態１と同様の構成とされている。
【００５５】
カバー層１７は、第２基板２の表示層と反対側の面２ａに配置され、複数の防湿基材３、４と、防湿基材３、４の間であって少なくとも最上部側の防湿基材４に接して配置された無機材料層５とが積層されてなる透明な防湿シート６と、防湿基材８、９からなる防湿補助シート１６とから構成されている。このような、カバー層１７を設けることにより、電気泳動層（表示層）１５の防湿効果を高めることができるとともに、第２基板２を保護することができる。
【００５６】
表示層側に配置された一方の防湿基材８の接合面８ａの大きさが、表示層と反対側に配置された他方の防湿基材９の接合面９ｂの大きさよりも大きくされており、溝１ｃが、防湿補助シート１６の側面１６ｃに設けられている。なお、溝１ｃの側面１６ｃからの深さは、表示領域３０に達しない深さとされている。溝１ｃの側面１６ｃからの深さをこれ以上の深さとした場合には、表示性能を劣化させるおそれが発生する。
【００５７】
このような構成であっても、溝１ｃが設けられるので、封止領域３２の封止幅Ｗはそのままにして、防湿樹脂２０と第１基板１との界面距離および防湿樹脂２０とカバー層１７との界面距離を拡張することができる。
防湿樹脂２０と第１基板１との界面距離および防湿樹脂２０とカバー層１７との界面距離を拡張することによって、これらの界面を介して、電気泳動表示装置１００の外部から電気泳動層（表示層）１５へ侵入する水分を低減することができる。
溝１ｃを設けても、封止領域３２の封止幅Ｗはそのままとされるので、大きな表示領域３０を維持することができ、電気泳動表示装置の表示性能を維持することができる。
【００５８】
このような防湿補助シート１６を複数積層してもよい。防湿補助シート１６を複数積層することによって、複数の溝１ｃを設けることができ、防湿効果を向上させることができる。
また、防湿補助シート１６として、防湿基材８の側面に溝１ｃを設けたものを用いてもよい。側面に溝１ｃが設けられた防湿補助シート１６を用いることにより、防湿効果を向上させることができる。
【００５９】
＜実施形態３＞
図４は、本発明の実施形態である電気泳動表示装置の別の一例を示す断面図である。
本発明の実施形態である電気泳動表示装置１０２は、溝１ｃがカバー層１７の表示層側の面１７ｂのみに形成され、カバー層１７の表示層と反対側の面１７ａに表面保護シート１０が接合されたほかは実施形態１と同様の構成とされている。
【００６０】
表面保護シート１０は、表面保護効果を発現することができ、画像表示の妨げとならない透明な材料であれば特に限定されず、可撓性を有する樹脂フィルムが好ましい。その材料としては、例えば、トリアセチルセルロース（ＴＡＣ）等のセルロース系樹脂、ポリエチレンテレフタレート（ＰＥＴ）、ポリエチレンナフタレート（ＰＥＮ）等のポリエステル樹脂、ポリエチレン（ＰＥ）樹脂、ポリスチレン（ＰＳ）樹脂、ポリ塩化ビニル樹脂、ポリカーボネート（ＰＣ）、ポリエーテルサルフォン（ＰＥＳ）、ポリエーテルエーテルケトン（ＰＥＥＫ）、ポリフェニレンサルファイド（ＰＰＳ）等の各種樹脂が挙げられ、これらのうちの１種または２種以上を組み合わせて用いることができる。
【００６１】
このような構成であっても、溝１ｃが設けられるので、封止領域３２の封止幅Ｗはそのままにして、防湿樹脂２０と第１基板１との界面距離および防湿樹脂２０とカバー層１７との界面距離を拡張することができる。
防湿樹脂２０と第１基板１との界面距離および防湿樹脂２０とカバー層１７との界面距離を拡張することによって、これらの界面を介して、電気泳動表示装置１００の外部から電気泳動層（表示層）１５へ侵入する水分を低減することができる。
溝１ｃを設けても、封止領域３２の封止幅Ｗはそのままとされるので、大きな表示領域３０を維持することができ、電気泳動表示装置の表示性能を維持することができる。
【００６２】
さらに、表面保護シート１０により、カバー層１７を外部からの機械的衝撃から保護することができ、何らかの衝撃により、カバー層１７を傷つけられて無機材料層５を露出させることがなく、電気泳動表示装置の防湿性を維持することができる。
【００６３】
＜実施形態４＞
図５は、本発明の実施形態である電気泳動表示装置の別の一例を示す断面図である。
本発明の実施形態である電気泳動表示装置１０３は、封止領域３２において、防湿樹脂２０の第１基板と反対側の面がカバー層１７で覆われていないほかは実施形態２と同様の構成とされている。
【００６４】
このような構成であっても、溝１ｃが設けられるので、封止領域３２の封止幅Ｗはそのままにして、防湿樹脂２０と第１基板１との界面距離および防湿樹脂２０とカバー層１７との界面距離を拡張することができる。
防湿樹脂２０と第１基板１との界面距離および防湿樹脂２０とカバー層１７との界面距離を拡張することによって、これらの界面を介して、電気泳動表示装置１００の外部から電気泳動層（表示層）１５へ侵入する水分を低減することができる。
溝１ｃを設けても、封止領域３２の封止幅Ｗはそのままとされるので、大きな表示領域３０を維持することができ、電気泳動表示装置の表示性能を維持することができる。
【００６５】
＜実施形態５＞
図６および図７は、本発明の実施形態である電気泳動表示装置の別の一例を示す図であって、図６は平面図であり、図７は断面図である。
図６に示すように、本発明の実施形態である電気泳動表示装置１０４は、第１基板１およびカバー層１７の表示層側の面１ａ、１７ｂに、表示領域３０の角部３０ｋを囲むように設けられた溝１ｃ’を有しているほかは実施形態１と同様の構成とされている。
【００６６】
本発明の実施形態である電気泳動表示装置１０４は、溝１ｃ’が、第１基板１およびカバー層１７の表示層側の面１ａ、１７ｂに、表示領域３０の角部３０ｋを囲むように設けられている。溝１ｃ’は、角部３０ｋの形状に合わせて、平面視したときにＬ字状となるように形成されている。
【００６７】
このように、本発明の実施形態である電気泳動表示装置１０４は、溝１ｃ’が、第１基板１またはカバー層１７の少なくともいずれか一方の表示層側の面１ａ、１７ｂに、表示領域３０の角部３０ｋを囲むように設けられていることが好ましい。
角部でない部分においては、水分が浸入するのは一側面側からのみとなるが、角部３０ｋにおいては、水分は２側面側から浸入することとなる。特に、角部３０ｋにおいて、溝の本数を増やして、角部３０ｋ用の溝１ｃ’を形成することにより、角部３０ｋでの水分の浸入の抑制効果を高めて、電気泳動表示装置１０４の防湿性を向上させることができる。
【００６８】
＜実施形態６＞
次に、上述した各実施形態にかかる電気泳動表示装置を備える電子機器の具体例について説明する。
図８は、本発明の電子機器を携帯電話に適用した場合の実施形態を示す斜視図である。
携帯電話３００は、複数の操作ボタン３０１と、受話口３０２と、送話口３０３と、表示パネル３０４とを備えている。このような携帯電話３００では、表示パネル３０４が本実施形態の電気泳動表示装置で構成されている。
【００６９】
図９は、本発明の電子機器をディジタルスチルカメラに適用した場合の実施形態を示す斜視図である。なお、図９中、紙面奥側を「前面」、紙面手前側を「背面」、と称する。
また、図９には、外部機器との接続状態も簡易的に示す。
【００７０】
ディジタルスチルカメラ４００は、ケース４０１と、ケース４０１の背面に形成された表示パネル４０２と、ケース４０１の観察側（図９中、紙面手前側）に形成された受光ユニット４０３と、シャッタボタン４０４と、回路基板４０５とを備えている。受光ユニット４０３は、例えば、光学レンズ、ＣＣＤ（Ｃｈａｒｇｅ  Ｃｏｕｐｌｅｄ  Ｄｅｖｉｃｅ）等で構成されている。表示パネル４０２は、ＣＣＤによる撮像信号に基づいて、表示を行うようになっている。回路基板４０５には、シャッタボタン４０４を押した時点におけるＣＣＤの撮像信号が、転送・格納される。このディジタルスチルカメラ４００では、ケース４０１の側面に、ビデオ信号出力端子４０６と、データ通信用の入出力端子４０７とが設けられている。ビデオ信号出力端子４０６には、例えばテレビモニタ４０６Ａが、入出力端子４０７には、例えばパーソナルコンピュータ４０７Ａが、それぞれ、必要に応じて接続される。ディジタルスチルカメラ４００は、所定の操作により、回路基板４０５のメモリに格納された撮像信号が、テレビモニタ４０６Ａ、パーソナルコンピュータ４０７Ａに出力されるようになっている。ディジタルスチルカメラ４００では、表示パネル４０２が本実施形態の電気泳動表示装置で構成されている。
【００７１】
図１０は、本発明の電子機器を電子ブックに適用した場合の実施形態を示す斜視図である。電子ブック５００は、ブック形状のフレーム５０１と、このフレーム５０１に対して、回動自在に設けられた（開閉可能な）カバー５０２とを備えている。フレーム５０１は、表示面を露出させた状態の表示装置５０３と、操作部５０４とが設けられている。電子ブック５００では、表示装置５０３が本実施形態の電気泳動表示装置で構成されている。
【００７２】
図１１は、本発明の電子機器を電子ペーパーに適用した場合の実施形態を示す斜視図である。電子ペーパー６００は、紙と同様の質感および柔軟性を有するリライタブルシートで構成される本体６０１と、表示ユニット６０２とを備えている。電子ペーパー６００では、表示ユニット６０２が本実施形態の電気泳動表示装置で構成されている。
【００７３】
図１２は、本発明の電子機器を電子ノートに適用した場合の実施形態を示す斜視図である。電子ノート７００は、カバー７０１と、電子ペーパー６００とを備えている。電子ペーパー６００は、図６に示す電子ペーパー６００と同様の構成であり、カバー７０１に挟持されるようにして、複数枚束ねられている。また、カバー７０１には、表示データを入力する入力手段が設けられており、これにより、電子ペーパー６００が束ねられた状態で、その表示内容を変更することができる。電子ノート７００では、電子ペーパー６００の表示ユニットが本実施形態の電気泳動表示装置で構成されている。
【００７４】
なお、電子機器としては、以上のようなものに限定されず、例えば、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部に、本実施形態の電気泳動表示装置を適用することが可能である。
【００７５】
以上、本発明の実施形態である電気光学表示装置、電気泳動表示装置および電子機器の各実施形態について説明したが、本発明は、これらに限定されるものではない。例えば、本発明の電気泳動表示装置を構成する各部は、同様の機能を発揮する任意のものと置換、または、その他の構成を追加することができる。例えば、回路基板と、電極および／またはトランジスタとの間、対向基板と対向電極との間等には、任意の目的の層を１層以上追加することもできる。
【００７６】
上述した実施形態では電気泳動層の具体例としてマイクロカプセルを利用するタイプを説明していたが、例えば隔壁を用いて構成した複数のセル（小空間）のそれぞれに電気泳動分散液を封入するタイプ等、他のタイプの電気泳動層を用いることも可能である。
【００７７】
また、電気光学表示装置１５０の一例として、電気泳動表示装置１００〜１０４を用いて説明したが、電気泳動層（表示層）１５の代わりに、有機ＥＬ層または液晶表示層などを用いることによって、電気光学表示装置１５０を有機ＥＬ表示装置または液晶表示装置などとすることができる。
以下、本発明を実施例に基づいて具体的に説明する。しかし、本発明は、この実施例にのみ限定されるものではない。
【実施例】
【００７８】
以下の実施例は、図１及び図２を用いて説明した実施形態１に基づく具体的な実施例である。
まず、一面側にＴＦＴを形成した板厚０．５ｍｍのガラス基板（旭硝子製、０Ａ−１０（商品名））の一面側であって封止領域となる部分に、表示領域を取り囲むように、幅０．１ｍｍ、深さ０．２ｍｍの溝を５本形成した。
同様に、膜厚０．２２ｍｍの防湿シート（クレハ製、セレール（商品名））の一面側であって封止領域となる部分に、表示領域を取り囲むように、幅０．１ｍｍ、深さ０．１ｍｍの溝を５本形成した。なお、溝の深さは、防湿シートの無機材料層が露出しないように、溝を形成する防湿基材の膜厚より小さくなるようにした。
次に、前記ガラス基板の一面側であって表示領域となる部分に、膜厚０．２ｍｍの電気泳動シート（ＥＩｎｋ社製、Ｖｉｚｐｌｅｘ（登録商標）、ＥＰシート：ＰＥＴ、透明電極、マイクロカプセル、接着剤が順次積層されてなるシート）を前記接着剤で貼り付けた。
【００７９】
次に、表示領域を取り囲む封止領域に防湿樹脂（日立化成工業製、タフィー（商品名））を塗布した後、前記防湿シートの溝が前記ガラス基板の溝と対峙するように、前記防湿シートを前記ガラス基板に貼り付けた。
最後に、接着剤により、防湿シート上に膜厚０．５ｍｍの表面保護シート（日東樹脂工業製、クラレックス（商品名））を貼り付けて、電気泳動表示装置を作成した。
以上のプロセスにより形成した電気泳動表示装置は、狭額縁であるにもかかわらず、防湿性の高いものであった。
【図面の簡単な説明】
【００８０】
【図１】本発明の電気泳動表示装置の一例を示す平面図である。
【図２】本発明の電気泳動表示装置の一例を示す断面図である。
【図３】本発明の電気泳動表示装置の一例を示す断面図である。
【図４】本発明の電気泳動表示装置の一例を示す断面図である。
【図５】本発明の電気泳動表示装置の一例を示す断面図である。
【図６】本発明の電気泳動表示装置の一例を示す平面図である。
【図７】本発明の電気泳動表示装置の一例を示す断面図である。
【図８】本発明の電子機器の一例を示す斜視図である。
【図９】本発明の電子機器の一例を示す斜視図である。
【図１０】本発明の電子機器の一例を示す斜視図である。
【図１１】本発明の電子機器の一例を示す斜視図である。
【図１２】本発明の電子機器の一例を示す斜視図である。
【符号の説明】
【００８１】
１…第１基板、１ｃ、１ｃ’…溝、２…第２基板、３、４…防湿基材、５…無機材料層、６…防湿シート、８、９…防湿基材、１１…マイクロカプセル、１２、１３…電気泳動粒子、１４…液相分散媒、１５…電気泳動層、１６…防湿補助シート、１７…カバー層、１９…樹脂層、２０…防湿樹脂、３０…表示面（表示領域）、３２…封止領域、４１…透明電極、４２…薄膜回路層、１００、１０１、１０２、１０３、１０４…電気泳動表示装置、１５０…電気光学表示装置、３００…携帯電話（電子機器）、４００…ディジタルスチルカメラ（電子機器）、５００…電子ブック（電子機器）、６００…電子ペーパー（電子機器）、７００…電子ノート（電子機器）。
【図１】
0005266823.tif 000002
【図２】
0005266823.tif 000003
【図３】
0005266823.tif 000004
【図４】
0005266823.tif 000005
【図５】
0005266823.tif 000006
【図６】
0005266823.tif 000007
【図７】
0005266823.tif 000008
【図８】
0005266823.tif 000009
【図９】
0005266823.tif 000010
【図１０】
0005266823.tif 000011
【図１１】
0005266823.tif 000012
【図１２】
0005266823.tif 000013